(57)【要約】【課題】くじの当たり外れを表わす情報をその印刷直後に滲ませることなく見えない状態にしたくじ付印刷物を提供すること。【解決手段】紙層（１）に、くじの当たり外れを表わす情報の印刷層（４）を設け、くじの当たり外れを表わす情報の印刷層（４）を覆うことがないようにパートコートされた接着剤層（６）を介してＶＭＰＥＴ層（５）が積層されて、くじの当たり外れを表わす情報の印刷層（４）とＶＭＰＥＴ層（５）との間に空間（８）を有することを特徴とするくじ付印刷物。。【選択図】図１
2015000483.tif 000002
【特許請求の範囲】
【請求項１】
紙層に、くじの当たり外れを表わす情報の印刷層を設け、くじの当たり外れを表わす情報の印刷層を覆うことがないようにパートコートされた接着剤層を介してＶＭＰＥＴ層が積層されて、くじの当たり外れを表わす情報の印刷層とＶＭＰＥＴ層との間に空間を有することを特徴とするくじ付印刷物。
【請求項２】
紙層に、くじの当たり外れを表わす情報を印刷して、くじの当たり外れを表わす情報の印刷層を設ける工程と、
紙層に、くじの当たり外れを表わす情報の印刷層の表面を覆わないように接着剤をパートコートして接着剤層を設け、この接着剤層を介してＶＭＰＥＴ層を積層する工程とを含むことを特徴とするくじ付印刷物の製造方法。
【発明の詳細な説明】
【技術分野】
【０００１】
本発明は、くじ付印刷物及びその製造方法に関する。
【背景技術】
【０００２】
従来から、容器の口部にヒートシールして、この容器を密封する蓋材として用いられるくじ付印刷物であって、容器から蓋材を剥がして開封すると、くじの当たり外れを表わす情報が見られるものが知られている（例えば特許文献１参照）。
【０００３】
従来、くじ付印刷物は、例えば、図５に示すように、紙層（１）とＶＭＰＥＴ層（５）とを積層し、紙層（１）側を表として、紙層（１）にインキ層（２）を設け、ＶＭＰＥＴ層（５）側を裏として、ＶＭＰＥＴ層（５）に、インキ層（３）、シリアルナンバー印刷層（４）を設け、さらに、ヒートシールラッカー塗布層（７）で覆った積層体である。
【０００４】
ここで、ＶＭＰＥＴは、Ｖａｃｕｕｍ  Ｍｅｔａｌｉｚｅｄ  Ｐｏｌｙｅｔｈｌｅｎｅ
Ｔｅｒｅｐｈｔｈａｌａｔｅ  の略称で、アルミニウム等の金属を真空蒸着したポリエチレンテレフタレートのことである。また、シリアルナンバーが、くじの当たり外れを表わす情報であって、くじ番号となっている。また、ヒートシールラッカーは、塗布し乾燥させると、透明でヒートシール性を有する塗布層となるラッカーである。
【０００５】
以下に、従来のくじ付印刷物を複数同時に製造する方法を、図６〜８に基づいて説明する。
【０００６】
まず、図６（ａ）に示すように、紙層（１）とＶＭＰＥＴ層（５）とをラミネートするラミネート工程を行う。このラミネート工程で得られる積層体を、表から見ると、図７（ａ）に示すように、紙層（１）が見え、裏から見ると、図８（ａ）に示すように、ＶＭＰＥＴ層（５）が見える。
【０００７】
次に、図６（ｂ）に示すように、ラミネート工程で得られた積層体の紙層（１）側を表としＶＭＰＥＴ層（５）側を裏として表と裏に印刷を施して、紙層（１）にインキ層（２）を設け、ＶＭＰＥＴ層（５）にインキ層（３）を設ける表裏印刷工程を行う。この表裏印刷工程で得られる積層体を、表から見ると、図７（ｂ）に示すように、紙層（１）の上にインキ層（２）が見え、裏から見ると、図８（ｂ）に示すように、ＶＭＰＥＴ層（５）の上にインキ層（３）が見える。
【０００８】
次に、図６（ｃ）に示すように、表裏印刷工程で得られた積層体の裏に、シリアルナンバーを印刷してシリアルナンバー印刷層（４）を設けるシリアルナンバー印刷工程を行う。このシリアルナンバー印刷工程で得られる積層体を、表から見ると、図７（ｃ）に示すように、紙層（１）の上にインキ層（２）が見え、裏からみると、図８（ｃ）に示すように、ＶＭＰＥＴ層（５）の上にインキ層（３）とシリアルナンバー印刷層（４）とが見える。
【０００９】
次に、図６（ｄ）に示すように、シリアルナンバー印刷工程で得られた積層体の裏に、ヒートシールラッカーを塗布し乾燥させてヒートシールラッカー塗布層（７）を設けるヒートシールラッカー塗布工程を行う。このヒートシールラッカー塗布工程で得られる積層体を、表から見ると、図７（ｄ）に示すように、紙層（１）の上にインキ層（２）が見え、裏からみると、図８（ｄ）に示すように、ヒートシールラッカー塗布層（７）が透明なため、ＶＭＰＥＴ層（５）の上にインキ層（３）とシリアルナンバー印刷層（４）とが見える。
【００１０】
最後に、図６（ｅ）に示すように、ヒートシールラッカー塗布工程で得られた積層体にスリットを入れて個々のくじ付印刷物に切り離すスリット工程を行う。このスリット工程を行っている最中の積層体を、表から見ると、図７（ｅ）に示すように、紙層（１）の上にインキ層（２）が見え、裏からみると、図８（ｅ）に示すように、ヒートシールラッカー塗布層（７）が透明なため、ＶＭＰＥＴ層（５）の上にインキ層（３）とシリアルナンバー印刷層（４）とが見える。
【００１１】
このように、従来のくじ付印刷物では、くじ番号であるシリアルナンバーを印刷した後、くじ付印刷物を蓋材として容器の口部にヒートシールして密封するまでの間、或いは、くじ付印刷物を廃棄しても、くじ番号を読み取れないように、焼却や細断などの処分を行うまでの間、くじ番号が見える状態に置かれ、第３者に読み取られる可能性があるという問題がある。
【００１２】
このような可能性を排除して、セキュリティを確保するために、くじ付印刷物の生産を、くじ付印刷物を蓋材として容器の口部にヒートシールして密封する会社内で行うようにすると、納期の融通が利かなくなるという問題が発生する。
【００１３】
また、従来の印刷物では、裏から、くじ番号であるシリアルナンバーが見えるために、瓶のように透明な容器のラベルに使用できないという問題もある。
【００１４】
さらに、従来の印刷物では、シリアルナンバー印刷層（４）の上にヒートシールラッカーを塗布するために、ヒートシールラッカーの溶剤成分によって、くじ番号であるシールナンバーが滲む恐れがあるという問題もある。
【先行技術文献】
【特許文献】
【００１５】
【特許文献１】特開平７−２８５５７５号公報
【発明の概要】
【発明が解決しようとする課題】
【００１６】
本発明は、このような事情を考慮してなされたもので、くじの当たり外れを表わす情報をその印刷直後に滲ませることなく見えない状態にしたくじ付印刷物を提供することを課題とする。
【課題を解決するための手段】
【００１７】
本発明において上記課題を解決するために、まず請求項１の発明では、紙層に、くじの当たり外れを表わす情報の印刷層を設け、くじの当たり外れを表わす情報の印刷層を覆うことがないようにパートコートされた接着剤層を介してＶＭＰＥＴ層が積層されて、くじの当たり外れを表わす情報の印刷層とＶＭＰＥＴ層との間に空間を有することを特徴とするくじ付印刷物としたものである。
【００１８】
また請求項２の発明では、紙層に、くじの当たり外れを表わす情報を印刷して、くじの当たり外れを表わす情報の印刷層を設ける工程と、
紙層に、くじの当たり外れを表わす情報の印刷層の表面を覆わないように接着剤をパートコートして接着剤層を設け、この接着剤層を介してＶＭＰＥＴ層を積層する工程とを含むことを特徴とするくじ付印刷物の製造方法としたものである。
【発明の効果】
【００１９】
本発明は、紙層に、くじの当たり外れを表わす情報の印刷層を設け、くじの当たり外れを表わす情報の印刷層を覆うことがないようにパートコートされた接着剤層を介してＶＭＰＥＴ層が積層されるので、くじの当たり外れを表わす情報の印刷層を設けた直後にＶＭＰＥＴ層を積層して、くじの当たり外れを表わす情報を見えなくできる一方で、紙層とＶＭＰＥＴ層とを剥がして、くじの当たり外れを表わす情報を見ることが容易にでき、しかも、接着剤の溶剤成分で、くじの当たり外れを表わす情報が滲むことがないという効果がある。
【００２０】
このため、本発明は、容器の蓋材だけでなく、瓶のように透明な容器のラベルにも使用できるという効果がある。
【図面の簡単な説明】
【００２１】
【図１】本発明のくじ付印刷物の層構成を示す断面図。
【図２】本発明のくじ付印刷物を複数同時に製造する方法を説明する図であって、（ａ）〜（ｅ）は、この順に行われる各工程で得られる積層体の断面を示す。
【図３】本発明のくじ付印刷物を複数同時に製造する方法を説明する図であって、（ａ）〜（ｅ）は、この順に行われる各工程で得られる積層体を表から見たものを示す。
【図４】本発明のくじ付印刷物を複数同時に製造する方法を説明する図であって、（ａ）〜（ｅ）は、この順に行われる各工程で得られる積層体を裏から見たものを示す。
【図５】従来のくじ付印刷物の層構成の一例を示す断面図。
【図６】従来のくじ付印刷物を複数同時に製造する方法を説明する図であって、（ａ）〜（ｅ）は、この順に行われる各工程で得られる積層体の断面を示す。
【図７】従来のくじ付印刷物を複数同時に製造する方法を説明する図であって、（ａ）〜（ｅ）は、この順に行われる各工程で得られる積層体を表から見たものを示す。
【図８】従来のくじ付印刷物を複数同時に製造する方法を説明する図であって、（ａ）〜（ｅ）は、この順に行われる各工程で得られる積層体を裏から見たものを示す。
【発明を実施するための形態】
【００２２】
以下に、本発明の一実施形態を説明する。
【００２３】
本発明のくじ付印刷物は、図１に示すように、紙層（１）の一方の面に、この面を表として、インキ層（２）を設け、紙層（１）の他方の面に、この面を裏として、インキ層（３）、シリアルナンバー印刷層（４）を設け、シリアルナンバー印刷層（４）を覆うことがないようにパートコートされた接着剤層（６）を介してＶＭＰＥＴ層（５）が積層されて、シリアルナンバー印刷層（４）とＶＭＰＥＴ層（５）との間に空間（８）を有し、さらにＶＭＰＥＴ層（５）にヒートシールラッカー塗布層（７）を設けた積層体である。
【００２４】
インキ層（２）及びインキ層（３）並びシリアルナンバー印刷層（４）は、特に限定されないが、通常使用されるニトロセルロース系樹脂、ポリアミド系樹脂、塩化ビニル−酢酸ビニル共重合体樹脂、ポリエステル系樹脂、塩化ゴム系樹脂又はポリウレタン系樹脂を
主バインダーとする各種グラビアインキを用いて公知の印刷方法で印刷する。
【００２５】
また、シリアルナンバーが、くじの当たり外れを表わす情報であって、くじ番号となっている。
【００２６】
接着剤層（６）は、ポリウレタン系樹脂、ポリエステル系樹脂等を主成分とする溶剤型接着剤あるいは無溶剤型接着剤等を使用し、かつ、シリアルナンバー印刷層（４）の表面を覆わないようにパートコートして積層する。積層方法はパートコートできる方法であれば良く、グラビアコート法が特に好ましい。塗布量は１．０〜５．０ｇ／ｍ２（乾燥状態）の範囲が好ましい。
【００２７】
ＶＭＰＥＴ層（５）は、シリアルナンバー印刷層（４）が見られないようするために、不透明であることが必須であり、例えば、アルミニウムを真空蒸着したポリエチレンテレフタレートのフィルムが好ましい。
【００２８】
ヒートシールラッカー塗布層（７）は、エチレン−酢酸ビニル共重合体樹脂、塩素化ポリプロピレン樹脂、ウレタン樹脂等を溶剤で適宜に溶解させてラッカーとした公知のヒートシールラッカーをグラビアコート法等の公知の塗布方法により、ＶＭＰＥＴ層（５）に塗布し乾燥させることにより形成させれば良い。なお、この場合の塗布量は１〜４ｇ／ｍ２程度が適量である。
【００２９】
以下に、本発明のくじ付印刷物を複数同時に製造する方法を、図２〜４に基づいて説明する。
【００３０】
まず、図２（ａ）に示すように、紙層（１）の一方の面を表とし他方の面を裏として、表に印刷を施してインキ層（２）を設け、裏に印刷を施してインキ層（３）を設ける表裏印刷工程を行う。この表裏印刷工程で得られる積層体を、表から見ると、図３（ａ）に示すように、紙層（１）の上にインキ層（２）が見え、裏から見ると、図４（ａ）に示すように、紙層（１）の上にインキ層（３）が見える。
【００３１】
次に、図２（ｂ）に示すように、表裏印刷工程で得られた積層体の裏に、シリアルナンバーを印刷してシリアルナンバー印刷層（４）を設けるシリアルナンバー印刷工程を行う。このシリアルナンバー印刷工程で得られる積層体を、表から見ると、図３（ｂ）に示すように、紙層（１）の上にインキ層（２）が見え、裏から見ると、図４（ｂ）に示すように、紙層（１）の上にインキ層（３）とシリアルナンバー印刷層（４）とが見える。
【００３２】
次に、図２（ｃ）に示すように、シリアルナンバー印刷工程で得られた積層体の裏に、シリアルナンバー印刷層（４）の表面を覆わないように接着剤をパートコートして接着剤層（６）を設け、この接着剤層（６）を介してＶＭＰＥＴ層（５）をラミネートするラミネート工程を行う。このラミネート工程で得られる積層体を、表から見ると、図３（ｃ）に示すように、紙層（１）の上にインキ層（２）が見え、裏から見ると、図４（ｃ）に示すように、ＶＭＰＥＴ層（５）が不透明であるために、ＶＭＰＥＴ層（５）に隠れて、インキ層（３）とシリアルナンバー印刷層（４）とが見えない。
【００３３】
次に、図２（ｄ）に示すように、ラミネート工程で得られた積層体の裏に、ヒートシールラッカーを塗布し乾燥させてヒートシールラッカー塗布層（７）を設けるヒートシールラッカー塗布工程を行う。このヒートシールラッカー塗布工程で得られる積層体を、表から見ると、図３（ｄ）に示すように、紙層（１）の上にインキ層（２）が見え、裏から見ると、図４（ｄ）に示すように、ヒートシールラッカー塗布層（７）が透明であるか否かに拘わらず、ＶＭＰＥＴ層（５）が不透明であるために、ＶＭＰＥＴ層（５）に隠れて、
インキ層（３）とシリアルナンバー印刷層（４）とが見えない。
【００３４】
最後に、図２（ｅ）に示すように、ヒートシールラッカー塗布工程で得られた積層体にスリットを入れて個々のくじ付印刷物に切り離すスリット工程を行う。このスリット工程を行っている最中の積層体を、表から見ると、図３（ｅ）に示すように、紙層（１）の上にインキ層（２）が見え、裏からみると、図４（ｅ）に示すように、ヒートシールラッカー塗布層（７）が透明であるか否かに拘わらず、ＶＭＰＥＴ層（５）が不透明であるために、ＶＭＰＥＴ層（５）に隠れて、インキ層（３）とシリアルナンバー印刷層（４）とが見えない。
【００３５】
このように、本発明のくじ付印刷物では、くじ番号であるシリアルナンバーを印刷してシリアルナンバー印刷層（４）を設けた直後に、このシリアルナンバー印刷層（４）を覆い隠すＶＭＰＥＴ層（５）をラミネートするラミネート工程を行うので、このラミネート工程の後、紙層（１）とＶＭＰＥＴ層（５）とを剥がすまでの間、常に、くじ番号は見えない状態に置かれ、第３者に読み取られることはないという効果がある。
【００３６】
このため、本発明のくじ印刷物は、容器の蓋材だけでなく、瓶のように透明な容器のラベルにも使用できるという効果がある。
【００３７】
さらに、本発明のくじ付印刷物は、シリアルナンバー印刷層（４）を覆うことがないようにパートコートされた接着剤層（６）を介してＶＭＰＥＴ層（５）が積層されて、シリアルナンバー印刷層（４）とＶＭＰＥＴ層（５）との間に空間（８）を有するので、紙層（１）とＶＭＰＥＴ層（５）とを剥がして、くじ番号であるシリアルナンバーを見ることが容易にでき、しかも、接着剤の溶剤成分で、くじ番号であるシリアルナンバーが滲むことがないという効果がある。
【符号の説明】
【００３８】
１…紙層
２…インキ層
３…インキ層
４…シリアルナンバー印刷層
５…ＶＭＰＥＴ層
６…接着剤層
７…ヒートシールラッカー塗布層
８…空間
【図１】
2015000483.tif 000003
【図２】
2015000483.tif 000004
【図３】
2015000483.tif 000005
【図４】
2015000483.tif 000006
【図５】
2015000483.tif 000007
【図６】
2015000483.tif 000008
【図７】
2015000483.tif 000009
【図８】
2015000483.tif 000010